(57)【要約】      （修正有）【課題】主に携帯電話などに対してアクセサリー目的で取付けられるマスコットキャラクターを用いたストラップに関して、簡単な操作で可動部を振動動作させる新製品の提供。【解決手段】本体部６を貫いて両側に突き出される軸部材８の一端側にキャラクター頭部５ａ、他端側にキャラクター尾部５ｂを取付け、軸部材８に回転動作を与える回転付与機構９を配置して本体部６の下部から垂れ下がる操作紐７によって連続的に操作可能なものとし、連結部材１３を介して回転動作できるように取付けられた軸部材８によって貫かれるスプリング１５の一端を軸部材８、他端を連結部材１３に固定することで回転付与機構９を作動して軸部材８を回転するとその軸回転がスプリング１３のひねり力として蓄積され、回転付与操作を止めるとひねり力が解放されて軸部材８端部に取付けたキャラクター頭部５ａおよびキャラクター尾部５ｂの細かな振動動作として一定時間継続する。【選択図】図１
0003104718.tif 000002
【実用新案登録請求の範囲】
【請求項１】
携帯電話等に取付けて使用するストラップのアクセサリーとして用いるマスコットキャラクター部材であって、本体部を貫いて両側に突き出される軸部材の一端側にキャラクター頭部、他端側にキャラクター尾部を取付け、軸部材に回転動作を与える回転付与機構を本体部内の所定位置に配置して本体部の下部から垂れ下がる操作紐によって連続的に操作可能なものとし、本体部に対して連結部材を介して回転動作できるように取付けられた軸部材によって貫かれるスプリングの一端を軸部材、他端を連結部材に固定することで、操作紐による操作によって回転付与機構を作動して軸部材を回転するとその軸回転がスプリングのひねり力として蓄積され、回転付与操作を止めるとスプリングのひねり力が解放されて軸部材端部に取付けたキャラクター頭部およびキャラクター尾部の細かな振動動作として一定時間継続するものとされていることを特徴とするスプリングによる振動動作部を備えた携帯電話等用ストラップ。                                                       
【考案の詳細な説明】
【技術分野】
【０００１】
本考案は、主に携帯電話などに対してアクセサリー目的で取付けられるマスコットキャラクターを用いたストラップに関して、簡便な操作で所定の可動部を従来に無い振動動作させることのできる新製品を提案するものである。
【背景技術】
【０００２】
現在広く普及している携帯電話等には実質的には装飾目的で利用者個々の趣味や好みを反映したアクセサリーストラップを取付けて持ち歩くことが行われている。
【０００３】
このようなストラップにはマスコットキャラクターを採用したアクセサリーを取り付け得るようにしたものが多数市販されており、キャラクター選択やデザイン、カラーリングなどにおいて種々の工夫がなされている。
【０００４】
また、マスコットキャラクターに適宜な可動部を設けてその可動動作による面白さを購入者に訴える商品展開なども行われるようになって来ている。
【０００５】
このような携帯電話用ストラップに適宜な可動部を設けたマスコットキャラクターを利用することについては以下のような特許文献が見出される。
【特許文献１】登録実用新案第３０４３４４４号公報
【考案の開示】
【考案が解決しようとする課題】
【０００６】
しかし、上記したような既存技術のものにおいては様々な工夫がなされているとしても何れもその基本アイディアは製品化され市販されているので需要者にとって目新しいものではなくなってしまっている。
そこで、新たな需要を喚起するために新鮮な発想に基づいた工夫を加えた製品が提案されることが望まれている。
【課題を解決するための手段】
【０００７】
本考案は、上記したような既存技術における課題を解消すべく検討を重ねて創案されたものであり、従来に無い動きを実現した可動部を備えた携帯電話用ストラップのマスコットキャラクターを提案するものであって具体的には以下の如くである。
【０００８】
（１）  携帯電話等に取付けて使用するストラップのアクセサリーとして用いるマスコットキャラクター部材であって、本体部を貫いて両側に突き出される軸部材の一端側にキャラクター頭部、他端側にキャラクター尾部を取付け、軸部材に回転動作を与える回転付与機構を本体部内の所定位置に配置して本体部の下部から垂れ下がる操作紐によって連続的に操作可能なものとし、本体部に対して連結部材を介して回転動作できるように取付けられた軸部材によって貫かれるスプリングの一端を軸部材、他端を連結部材に固定することで、操作紐による操作によって回転付与機構を作動して軸部材を回転するとその軸回転がスプリングのひねり力として蓄積され、回転付与操作を止めるとスプリングのひねり力が解放されて軸部材端部に取付けたキャラクター頭部およびキャラクター尾部の細かな振動動作として一定時間継続するものとされていることを特徴とするスプリングによる振動動作部を備えた携帯電話等用ストラップ。
【実施例】
【０００９】
上記したような本考案の携帯電話等用ストラップ１の具体的な実施例の若干を添付図面に示すところを利用して説明する。
図１は本考案における携帯電話等用ストラップ１の外観形状の若干例を示すものである（本体部６にタオルのような布材１６をかけた状態として表現している）。
【００１０】
すなわち、本考案の携帯電話等用ストラップ１は、携帯電話本体への接続手段２、連結金具３、マスコットキャラクター４により構成されているものであり、このマスコットキャラクター４は可動部としての振動動作部５、５を備え本体部６の下部から垂れ下がった操作紐７の操作によって該振動動作部５、５がブルブルと振動動作するような機構を内蔵しているものである。
【００１１】
操作紐７は下方に引張って操作するものであり、本考案ストラップ１を接続手段２によって携帯電話本体の所定箇所に連結した状態であれば容易に操作可能である。また、採用するマスコットキャラクター４は動物などをモチーフにしたものが望ましく、その胴体を本体部６となし頭部および尾部をそれぞれに振動動作部５、５とすることが好ましい。
【００１２】
もちろん、マスコットキャラクター４の具体的デザインは図示のものに限られるわけではなく、同じ構成による可動部の振動動作を実現することで同様に本考案独自の面白さが実現できるようなものであれば多様な形態で応用することが可能である。
【００１３】
図２は、このような本考案に独自なブルブルという振動動作を実現するための内部構造についての１例を分解図的に示したものである。なお、ここでは各構成部材を取付ける本体部６については記載を省略し、内部構造における動きが理解し易いように配慮している。
【００１４】
すなわち、本体部６は軸部材８によって貫かれて該軸部材８の両端部分は本体部６の外部に突き出されるようになっている。突き出された軸部材８の一端には振動動作部５としてのキャラクター頭部５ａ、他端には同じく振動動作部５としてのキャラクター尾部５ｂが取付けられるようになっている。
【００１５】
軸部材８の中央には回転付与機構９が配置されている。すなわち、操作紐７を下方に引くとその先端に取付けた爪部材１０が軸部材８の凸部１１にかかり、さらに下方に引くことで軸部材８に対する回転動作が付与されるようになっているものである。
【００１６】
操作紐７を下方へ引くことを止めると爪部材１０は復帰スプリング１２の働きで上方へ戻ることになる。その結果、凸部１１に対する回転動作の付与が止められて軸部材８は解放される。
【００１７】
本体部６への軸部材８の取付けは連結部材１３を介して行われる。すなわち、連結部材１３は本体部６の内部に固定的に取り付けることができるようにされており、該連結部材１３に設けられた連通孔１４を貫いて軸部材８の両端部は突き出されるようになっており、この状態で軸部材８そのものは自在に回転できるようになっている。
【００１８】
また、軸部材８は振動付与スプリング１５を貫くようになっており、該スプリング１５の一端は軸部材に固定され、他端は連結部材１３に固定されるようになっている。つまり、軸部材８は振動付与スプリング１５を介して連結部材１３（および連結部材１３を介した本体部６）と接続されているものである。
【００１９】
上記したように操作紐７を操作して回転動作付与機構９によって軸部材８が回転されるとそれはスプリング１５のねじれ力として蓄積され、操作紐７を離すと軸部材８への回転動作付与が解消され、スプリング１５に貯められたねじれ力が一気に解放される。その結果、軸部材８の両端に取付けられたキャラクター頭部５ａやキャラクター尾部５ｂに対するブルブルといった振動動作が実現し、一定期間継続するものである。
【００２０】
なお、図示では振動付与スプリング１５をキャラクター頭部５ａ側とキャラクター尾部５ｂ側の双方に取付けているが、同じ軸部材８の両端部に取付けられたものであるから、どちらか一方だけにしても略同様の振動動作を実現することは可能である。また、連通孔１４を設けた連結部材１３は本体部６と一体的なものとして形成されるものであっても構わない。
【００２１】
以上説明したように本考案の携帯電話用ストラップは、シンプルな構成で従来にない面白い動作をマスコットキャラクターに実現することができ、需要者の興味を惹く新たな商品展開を行うことが可能になるものであって、産業上の利用可能性において優れた考案となっているものである。
【図面の簡単な説明】
【００２２】
【図１】本考案の携帯電話等用ストラップの外観形状について、その若干例を示した図面である。
【図２】本考案独自の振動動作を実現するための内部構造の１例を分解図的に示した説明図である。
【符号の説明】
【００２３】
１    本考案の携帯電話等用ストラップ
２    接続手段
３    連結金具
４    マスコットキャラクター
５    振動動作部
５ａ    キャラクター頭部
５ｂ    キャラクター尾部
６    本体部
７    操作紐
８    軸部材
９    回転動作付与機構
１０    爪部材
１１    凸部
１２    復帰スプリング
１３    連結部材
１４    連通孔
１５    振動付与スプリング
１６    布材                                                                                
【図１】
0003104718.tif 000003
【図２】
0003104718.tif 000004